(57)【要約】【課題】  ボビンに巻回し収納されている釣り糸等を引き出し、切り取る作業が容易であると共に、全体を１個の金型で成形できるようにして、製作を容易にし、組立て作業も簡単にする。【構成】  ケース全体を１個の金型で成形出来るようにしてなり、周壁部を具えた前壁部１と後壁部13の各底部側を連結部19で結合し、後壁部の上側にはヒンジ部22を介して蓋部21を連設してあり、上記前壁部の周壁部上側３には、ガイド溝４と系止部及び刃部を形成した金属板７を設けてあり、前壁部１と内側にボビン支軸16を設けた後壁部13とは係合突片10、11及び17、18により接合し得るようにしてある。【選択図】  図１
0003114919.tif 000002
【実用新案登録請求の範囲】
【請求項１】
釣り糸等を巻回するボビンを収納するようにした容器であって、周壁部を夫々具えた前壁部と後壁部の各底部側を可撓性を有する連結部で結合してあり、後壁部の前記連結部と反対側にはヒンジ部を介して蓋部を連設してあり、上記前壁部の周壁部上側には、その一方にガイド溝を設け、他方には系止部と刃部を形成した金属板を設けるとともに、ガイド溝と金属板間には凹部を形成してあり、上記後壁部の内側中央部分にはボビン支軸を突設すると共に前壁部と後壁部とはその各内側に突設した係合突片により一体に接合し得るようにしてあり、上記蓋部は前壁部と後壁部を接合した状態でその上部側に被着し得るように形成してあることを特徴とする釣り糸等の収納具。
【請求項２】
釣り糸等を巻回するボビンを収納するようにした容器であって、周壁部を夫々具えた前壁部と後壁部の各底部側を可撓性を有する連結部で結合してあり、後壁部の前記連結部と反対側にはヒンジ部を介して蓋部を連設してあり、上記前壁部の周壁部上側には、その中央部に凹部を形成してあり、上記後壁部の内側中央部分にはボビン支軸を突設すると共に前壁部と後壁部とはその各内側に突設した係合突片により一体に接合し得るようにしてあり、上記両周壁部からなる上側には、凹部の一方にガイド溝を設け、他方には糸系止部と刃部を形成した金属板を設けてあり、上記蓋部は前壁部と後壁部を接合した状態でその上部側に被着し得るように形成してあることを特徴とする釣り糸等の収納具。
【考案の詳細な説明】
【技術分野】
【０００１】
本考案は、釣り糸、縫い糸その他の糸類を収納し、携行するための収納具に関するものである。
【背景技術】
【０００２】
従来、例えばフライフィッシング等において釣り糸を携行する場合は、一般にフライボックスと呼ばれる小箱が使用されており、釣り人は釣り場の状況に応じて釣り糸の交換を行っているが、指先の動きの鈍い寒冷時や、夕闇の迫る川辺での釣り糸交換作業は容易でない。
本考案者は、先に釣り糸をワンタッチで所望の長さに切り取ることが出来る、刃部を具えた釣り糸収納具を実用新案として登録出願した。
上記実用新案では、ケース体の開口部に設けた支持体の一方に釣り糸のガイド溝を儲け、他方には刃部と係支部を具えた金属板を設けてあり、ガイド溝と金属板間は張り渡された釣り糸を摘み易いように切欠部を形成してあるから、ボビンに巻回されている釣り糸を引き出し、切り取るのには大変便利であるが、ケース本体と支持体は別の金型で成形する事を要するため、製作上コスト高になる欠点があり、また組み立て作業上も手間がかかる難点があった。
【特許文献１】実用新案登録第３０４８８９５号
【考案の開示】
【考案が解決しようとする課題】
【０００３】
そこで本考案では、ボビンに巻回し収納されている釣り糸等を引き出し、切り取る作業が容易であると共に、全体を１個の金型で成形できるようにして、製作を容易にし、組立て作業も簡単にして一段とコストを低減できるようにしたものである。      
【課題を解決するための手段】
【０００４】
本考案に係る釣り糸等の収納具は、上記目的を達成するために次のように構成した。
即ち、釣り糸等を巻回するボビンを収納するようにした容器であって、ケース全体を１個の金型で合成樹脂成形出来るようにしてなり、周壁部を夫々具えた前壁部と後壁部の各底部側を可撓性を有する連結部で結合してあり、後壁部の前記連結部と反対側にはヒンジ部を介して蓋部を連設してあり、上記前壁部の上部側には、その一方にガイド溝を設け、他方には系止部と刃部を形成した金属板を設けるとともに、ガイド溝と金属板間には凹部を形成してあり、上記後壁部の内側中央部分にはボビン支軸を突設すると共に前壁部と後壁部とはその各内側に突設した係合突片により一体に接合し得るようにしてあり、上記蓋部は前壁部と後壁部を接合した状態でその上部側に被着し得るように形成してある。
また、周壁部の上側に設ける凹部、並びにその一方に設けるガイド溝と、他方に設ける糸系止部と刃部を形成した金属板は、後壁部側の周壁部上側に設けることも出きる。
【考案の効果】
【０００５】
上記構成からなる本考案においては、ケース全体を１個の金型で成形し得るから、製作が容易であって、コストを著しく低減できると共に組立作業も非常に簡単である。而して、釣り糸等の取り出し操作が頗る容易であるから、釣り場等に携行して大変便利である。
本考案品は釣り糸以外に種々の糸類を携行する場合にもそのまま利用できて有益である。
【考案を実施するための最良の形態】
【０００６】
以下、添付図面に従って本考案の一実施形態を詳説する。
図１は本考案に係るケース体の全体を示す展開平面図であって、このケース体は釣り糸巻回用のボビンを収納できる程度の大きさにして、平たい箱状に組立てられるように形成した。
符号１は角形状の前壁部であって、その周囲には周壁部２を形成してあり、周壁部の上側３には、その一方に釣り糸ａのガイド溝４を設け、他方には糸の係止部５と刃部６を形成した金属板７を固着してある。この係止部５と刃部６は金属板７にＶ状の切起し片８を設け、切起し片８の一側に係止部５を、他側に刃部６を形成した。而して、ガイド溝４と金属板７間の周壁部上側３は弧状の凹部９に形成して、ガイド溝４と係止部５間に掛け渡す糸ａを指先で摘み易いように形成してある。10及び11は前壁部１内面の隅部に設けた雌雄からなる係合用突片であり、12は周壁部の底部を示す。
【０００７】
13は後壁部であって、その周囲には前壁部１と同様に周壁部14を形成してあり、周壁部14の上側には前壁部の凹部９に対応する位置に凹所15を形成してある。16は後壁部13内側の中央部に突設したボビン支軸を示し、17、18は前壁部の係合突片10及び11と夫々嵌合できる位置に設けた係合突片を示す。而して、19は前壁部の低部12と後壁部の底部20とを結合する可撓性の連結部であって、可撓性を持たせるために肉薄に形成してあり、この連結部19を屈曲して前壁部１と後壁部13の各突起10、11と17、18とを相互に嵌着することにより両周壁部２、14を突き合せ一体に接合できるようにしてある。
【０００８】
21は後壁部13の上側にヒンジ部22を介して連結した蓋部であって、前後両壁部１、13を接合した状態でその上側部に被着できるようにした。23は蓋部21の内側に突設した係止片であって、被着時前壁部１の上部に設けた係合縁24に係止できるようにしてある。
【０００９】
上記のような構成からなる本考案品を使用するには、展開状態で、後壁部のボビン支軸16に釣り糸ａを巻回したボビンｂを装着し、その釣り糸の端末部をガイド溝４から外部に取り出し係止部５に係止した状態で、前後両壁部１、13を重ね合せて接合し、蓋部21を被着しておくものである。而して、所望の長さの釣り糸を切り取る場合には、ガイド溝４から係止部５間に張り渡されている釣り糸ａを摘んで係止部５から外して、釣り糸ａを必要の長さだけボビンｂから引き出し、再び釣り糸の途中を係止部５に引っ掛け、更に、刃部６を通して釣り糸を手前に引っ張ると、釣り糸は係止部５に係止した状態で刃部６により切断されているので、所望の長さの釣り糸を得られる。そして、切断後は、釣り糸がガイド溝４と切越し片８間に張り渡された状態で保持されるから、次回に釣り糸を切り取る場合は上記と同様な操作を行なえばよい。
【００１０】
又、上例においては、ガイド溝４と、係止部５及び刃部６を形成した金属板７を前壁部１側の周壁部２上側に設けてあるが、逆に後壁部13側の周壁部14上側に設けることもできる。
【図面の簡単な説明】
【００１１】
【図１】ケース体の展開平面図である。
【図２】組立てた開蓋状態の全面図である。
【図３】図２の中央縦断面図である。
【図４】図３のＡ−Ａ線断面図である。
【図５】開蓋状態の平面図である。
【符号の説明】
【００１２】
１  前壁部
２  周壁部
３  周壁部上側
４  ガイド溝
５  係止部
６  刃部
７  金属板
８  切起し片
９  凹部
10  係合突片
11  係合突片
12  周壁部の底部
13  後壁部
14  周壁部
15  凹所
16  ボビン支軸
17  係合突片
18  係合突片
19  連結部
20  後壁部の底部
21  蓋部
22  ヒンジ部
23  係止片
24  係合縁
【図１】
0003114919.tif 000003
【図２】
0003114919.tif 000004
【図３】
0003114919.tif 000005
【図４】
0003114919.tif 000006
【図５】
0003114919.tif 000007